(57)【要約】【課題】記録されたコンテンツを自動的に消去する機能を有していても、ユーザの利便性の低下を抑制することができる技術を提供する。【解決手段】放送番組がコンテンツとして記録される記録手段と、前記記録手段に記録されたコンテンツを所定の条件に基づいて自動的に消去、又は、前記記録手段に記録されたコンテンツをユーザの消去指示に従って消去する消去手段と、前記消去手段によって前記記録手段から所定の条件に基づいて自動的に消去された第１のコンテンツの情報を保存する保存手段と、放送予定の複数の放送番組に関する番組情報を取得する取得手段と、前記取得手段で取得された番組情報の中から、前記第１のコンテンツの情報を検索する検索手段と、前記検索手段による検索の結果、前記取得手段で取得された番組情報の中から前記第１のコンテンツの情報が見つかった場合に、前記第１のコンテンツに対応する放送番組の放送予定がある旨を通知する出力手段と、を有することを特徴とする記録装置を提供する。【選択図】図１
2010245646.tif 000002
【特許請求の範囲】
【請求項１】
放送番組がコンテンツとして記録される記録手段と、
前記記録手段に記録されたコンテンツを所定の条件に基づいて自動的に消去、又は、前記記録手段に記録されたコンテンツをユーザの消去指示に従って消去する消去手段と、
前記消去手段によって前記記録手段から所定の条件に基づいて自動的に消去された第１のコンテンツの情報を保存する保存手段と、
放送予定の複数の放送番組に関する番組情報を取得する取得手段と、
前記取得手段で取得された番組情報の中から、前記第１のコンテンツの情報を検索する検索手段と、
前記検索手段による検索の結果、前記取得手段で取得された番組情報の中から前記第１のコンテンツの情報が見つかった場合に、前記第１のコンテンツに対応する放送番組の放送予定がある旨を通知する出力手段と、
を有することを特徴とする記録装置。
【請求項２】
前記保存手段は、前記第１のコンテンツの情報と、ユーザの消去指示によって前記記録手段から消去された第２のコンテンツの情報とを識別可能に保存することを特徴とする請求項１に記載の記録装置。
【請求項３】
前記検索手段による検索の結果、前記取得手段で取得された番組情報の中から前記第１のコンテンツの情報が見つかった場合に、前記第１のコンテンツに対応する放送番組を記録する記録指示をユーザから受け付ける受付手段と、
前記受付手段が前記記録指示を受け付けた場合に、前記第１のコンテンツに対応する放送番組をコンテンツとして前記記録手段に記録すると共に、前記第１のコンテンツの情報を前記保存手段から消去する制御手段と、
を更に有することを特徴とする請求項１に記載の記録装置。
【請求項４】
前記検索手段による検索の結果、前記取得手段で取得された番組情報の中から前記第１のコンテンツの情報が見つかった場合、且つ、前記記録手段の記録容量の空きが規定値以上である場合に、前記第１のコンテンツに対応する放送番組をコンテンツとして前記記録手段に自動的に記録すると共に、前記第１のコンテンツの情報を前記保存手段から消去する制御手段を更に有することを特徴とする請求項１に記載の記録装置。
【請求項５】
前記検索手段による検索の結果、前記取得手段で取得された番組情報の中から前記第１のコンテンツの情報が見つかった場合、且つ、前記記録手段の記録容量の空きが規定値未満である場合に、前記第１のコンテンツに対応する放送番組を記録する記録指示をユーザから受け付ける受付手段を更に有し、
前記制御手段は、前記受付手段が前記記録指示を受け付けた場合に、前記第１のコンテンツに対応する放送番組をコンテンツとして前記記録手段に記録すると共に、前記第１のコンテンツの情報を前記保存手段から消去することを特徴とする請求項４に記載の記録装置。
【請求項６】
前記出力手段は、前記受付手段が前記記録指示を受け付けなかった場合において、前記第１のコンテンツに対応する放送番組の放送が終了するまで、前記第１のコンテンツに対応する放送番組の放送予定がある旨を繰り返し通知することを特徴とする請求項３又は５に記載の記録装置。
【請求項７】
前記制御手段は、前記出力手段が前記第１のコンテンツに対応する放送番組の放送予定がある旨を規定回数通知したら、前記第１のコンテンツの情報を前記保存手段から消去することを特徴とする請求項６に記載の記録装置。
【請求項８】
前記検索手段による検索の結果、前記取得手段で取得された番組情報の中から前記第１のコンテンツの情報が見つかった場合、且つ、前記記録手段の記録容量の空きが規定値以上である場合に、前記第１のコンテンツに対応する放送番組の放送時間に別の放送番組をコンテンツとして前記記録手段に記録する予約があるかどうかを判定する判定手段と、
前記判定手段によって前記予約がないと判定された場合に、前記第１のコンテンツに対応する放送番組をコンテンツとして前記記録手段に自動的に記録すると共に、前記第１のコンテンツの情報を前記保存手段から消去する制御手段と、
を更に有することを特徴とする請求項１に記載の記録装置。
【請求項９】
前記出力手段は、前記判定手段によって前記予約があると判定された場合に、その旨を通知することを特徴とする請求項８に記載の記録装置。
【請求項１０】
前記判定手段によって前記予約があると判定された場合に、前記第１のコンテンツに対応する放送番組をコンテンツとして前記記録手段に自動的に記録するか、前記別の放送番組をコンテンツとして前記記録手段に記録するかの指示をユーザから受け付ける受付手段を更に有し、
前記制御手段は、前記受付手段が前記第１のコンテンツに対応する放送番組をコンテンツとして前記記録手段に自動的に記録する指示を受け付けた場合に、前記第１のコンテンツに対応する放送番組をコンテンツとして前記記録手段に記録すると共に、前記第１のコンテンツの情報を前記保存手段から消去することを特徴とする請求項８又は９に記載の記録装置。
【請求項１１】
放送番組がコンテンツとして記録される記録手段を備える記録装置の制御方法であって、
前記記録手段に記録されたコンテンツを所定の条件に基づいて自動的に消去、又は、前記記録手段に記録されたコンテンツをユーザの消去指示に従って消去する消去ステップと、
前記消去ステップによって前記記録手段から所定の条件に基づいて自動的に消去された第１のコンテンツの情報を保存する保存ステップと、
放送予定の複数の放送番組に関する番組情報を取得する取得ステップと、
前記取得ステップで取得された番組情報の中から、前記第１のコンテンツの情報を検索する検索ステップと、
前記検索ステップによる検索の結果、前記取得ステップで取得された番組情報の中から前記第１のコンテンツの情報が見つかった場合に、前記第１のコンテンツに対応する放送番組の放送予定がある旨を通知する出力ステップと、
を有することを特徴とする制御方法。
【発明の詳細な説明】
【技術分野】
【０００１】
本発明は、放送番組をコンテンツとして記録する記録装置及びその制御方法に関する。
【背景技術】
【０００２】
近年、ＶＨＳやベータなどのビデオテープに放送番組（コンテンツ）を記録する記録装置に代わって、ハードディスク（ＨＤＤ）、ブルーレイディスク、フラッシュメモリなどの記録媒体に放送番組を記録する記録装置が普及してきている。このような記録装置では、ユーザ（視聴者）の好みを分析し、ユーザの好みに適合する放送番組を、放送波から取得した番組情報に基づいて検索して自動的に記録する記録装置が提案されている（特許文献１参照）。
【０００３】
放送番組を自動的に記録する記録装置では、ユーザによって消去される放送番組の数が記録される放送番組の数よりも少なくとなると、記録媒体の記録容量の制限（記録容量の不足）によって、新たな放送番組を記録することができなくなることがある。また、放送番組を自動的に記録しなくても、記録媒体の記録容量が不足した場合には、記録した放送番組を消去しなければ、新たな放送番組を記録することができない。
【０００４】
そこで、記録した放送番組に対して、ユーザの視聴履歴や好みなどに基づいて優先度を設定し、記録媒体の記録容量が不足した場合には、優先度に従って放送番組を自動的に消去する記録装置が提案されている（特許文献２参照）。
【先行技術文献】
【特許文献】
【０００５】
【特許文献１】特開２００３−１３４４３０号公報
【特許文献２】特開２００２−３０５７０６号公報
【発明の概要】
【発明が解決しようとする課題】
【０００６】
しかしながら、従来技術では、ユーザの視聴履歴や好みなどに基づいて優先度を自動的に設定しているため、ユーザにとって真に不要な放送番組を消去しているとは限らない。換言すれば、従来技術は、ユーザが消去したくなかった放送番組、或いは、視聴する予定だった放送番組を消去してしまう可能性があり、ユーザの利便性（ユーザビリティ）を低下させてしまう（ユーザに不利益を与えてしまう）懸念があった。
【０００７】
本発明は、このような従来技術の課題に鑑みてなされ、記録されたコンテンツを自動的に消去する機能を有していても、ユーザの利便性の低下を抑制することができる技術を提供することを例示的目的とする。
【課題を解決するための手段】
【０００８】
上記目的を達成するために、本発明の一側面としての記録装置は、放送番組がコンテンツとして記録される記録手段と、前記記録手段に記録されたコンテンツを所定の条件に基づいて自動的に消去、又は、前記記録手段に記録されたコンテンツをユーザの消去指示に従って消去する消去手段と、前記消去手段によって前記記録手段から所定の条件に基づいて自動的に消去された第１のコンテンツの情報を保存する保存手段と、放送予定の複数の放送番組に関する番組情報を取得する取得手段と、前記取得手段で取得された番組情報の中から、前記第１のコンテンツの情報を検索する検索手段と、前記検索手段による検索の結果、前記取得手段で取得された番組情報の中から前記第１のコンテンツの情報が見つかった場合に、前記第１のコンテンツに対応する放送番組の放送予定がある旨を通知する出力手段と、を有することを特徴とする。
【０００９】
本発明の更なる目的又はその他の側面は、以下、添付図面を参照して説明される好ましい実施形態によって明らかにされるであろう。
【発明の効果】
【００１０】
本発明によれば、例えば、記録されたコンテンツを自動的に消去する機能を有していても、ユーザの利便性の低下を抑制する技術を提供することができる。
【図面の簡単な説明】
【００１１】
【図１】本発明の一側面としての記録再生装置の構成を示す概略ブロック図である。
【図２】第１の実施形態における記録再生装置の動作を説明するためのフローチャートである。
【図３】自動的に消去されたコンテンツに対応する放送番組の放送予定がある旨を通知する表示画面の一例を示す図である。
【図４】第２の実施形態における記録再生装置の動作を説明するためのフローチャートである。
【図５】第３の実施形態における記録再生装置の動作を説明するためのフローチャートである。
【発明を実施するための形態】
【００１２】
以下、添付図面を参照して、本発明の好適な実施の形態について説明する。なお、各図において、同一の部材については同一の参照番号を付し、重複する説明は省略する。
【００１３】
図１を参照して、本発明の一側面としての記録再生装置１を説明する。記録再生装置１は、ハードディスク（ＨＤＤ）などで構成される記録部１１６にコンテンツを記録すると共に、記録部１１６に記録されたコンテンツを再生する装置である。
【００１４】
記録再生装置１は、チューナ部１０２と、チャンネル設定部１０４と、復調部１０６と、ＤＥＭＵＸ部１０８と、多重信号分離部１１０と、デコード部１１２と、番組情報取得部１１４と、記録部１１６とを有する。更に、記録再生装置１は、記録／再生制御部１１８と、コンテンツ管理部１２０と、自動消去指示部１２２と、消去情報保存部１２４と、放送番組検索部１２６と、表示出力部１２８と、ユーザインタフェース（Ｉ／Ｆ）１３０とを有する。
【００１５】
チューナ部１０２は、図示しないアンテナを介して、放送局から送信された放送信号（ＲＦ（Ｒｅｄｉｏ  Ｆｒｅｑｕｅｎｃｙ）信号）を受信する。チャンネル設定部１０４は、ユーザ（視聴者）によって選択されたチャンネルをチューナ部１０２に設定する。復調部１０６は、チューナ部１０２で受信され、チャンネル設定部１０４で設定されたチャンネルのＲＦ信号をＴＳ（Ｔｒａｎｓｐｏｒｔ  Ｓｔｒｅａｍ）信号に復調する。
【００１６】
ＤＥＭＵＸ部１０８は、復調部１０６から出力されたＴＳ信号を、ビデオ信号及びオーディオ信号のパケット信号に分割する。多重信号分離部１１０は、ＤＥＭＵＸ部１０８で分割されたパケット信号を、ビデオ信号、オーディオ信号、番組データ（番組情報など）などに分離する。デコード部１１２は、ＤＥＭＵＸ部１０８から出力されたビデオ信号及びオーディオ信号に対して、ＭＰＥＧ等の復号化処理（デコード）を施す。
【００１７】
番組情報取得部１１４は、多重信号分離部１１０から放送予定の複数の放送番組に関する番組情報を取得して保存する。また、番組情報取得部１１４は、ユーザの指示に従って、多重信号分離部１１０から取得した番組情報に基づいて電子番組表（ＥＰＧ：Electronic Program Guide）を作成して表示出力部１２８に出力する。
【００１８】
記録部１１６は、記録／再生制御部１１８からの記録指示に従って、デコード部１１２でデコードされたビデオ信号及びオーディオ信号を記録する。即ち、記録部１１６には、チューナ部１０２で受信した放送信号の放送番組がコンテンツとして記録される。また、記録部１１６は、記録／再生制御部１１８からの再生指示に従って、指定されたコンテンツを読み出して、ビデオ信号及びオーディオ信号を表示出力部１２８に出力する。なお、記録部１１６にＴＳ信号が記録されている場合には、記録部１１６はＴＳ信号をデコード部１１２に出力し、デコード部１１２はＴＳ信号をビデオフォーマット及びオーディオフォーマットに変換して表示出力部１２８に出力する。また、記録部１１６は、記録／再生制御部１１８からの消去指示に従って、指定されたコンテンツを消去する。
【００１９】
記録／再生制御部１１８は、記録部１１６におけるコンテンツの記録及び再生に関する制御を行う。例えば、記録／再生制御部１１８は、ユーザＩ／Ｆ１３０において放送番組を記録する記録指示や放送番組の記録を予約する予約指示を受け付けると、かかる放送番組がコンテンツとして記録されるように記録部１１６を制御する。そして、記録／再生制御部１１８は、記録部１１６に記録されたコンテンツの情報をコンテンツ管理部１２０に送信する。また、記録／再生制御部１１８は、ユーザＩ／Ｆ１３０において記録部１１６に記録されたコンテンツを再生する再生指示を受け付けると、指定されたコンテンツを読み出して表示出力部１２８に出力するように記録部１１６を制御する。そして、記録／再生制御部１１８は、記録／再生制御部１１８は、再生されたコンテンツの情報をコンテンツ管理部１２０に送信する。更に、記録／再生制御部１１８は、ユーザＩ／Ｆ１３０において記録部１１６に記録されたコンテンツを消去する消去指示を受け付けると、又は、自動消去指示部１２２から消去指示が入力されると、指定されたコンテンツを消去するように記録部１１６を制御する。そして、記録／再生制御部１１８は、記録部１１６から消去されたコンテンツの情報をコンテンツ管理部１２０に送信する。
【００２０】
コンテンツ管理部１２０は、記録部１１６に記録されているコンテンツの情報を管理する。具体的には、コンテンツ管理部１２０は、記録部１１６に記録されたコンテンツの情報を記録／再生制御部１１８から受信して、かかるコンテンツの情報を保存する。なお、コンテンツ管理部１２０は、再生されたコンテンツの情報を記録／再生制御部１１８から受信して、記録部１１６に記録されているコンテンツの情報に関連づけて保存する。同様に、コンテンツ管理部１２０は、記録部１１６から消去されたコンテンツの情報を記録／再生制御部１１８から受信して、かかるコンテンツの情報を消去する。また、コンテンツ管理部１２０は、ユーザＩ／Ｆ１３０においてを受け付けると、記録部１１６に記録されているコンテンツの情報を表示出力部１２８に出力する。
【００２１】
自動消去指示部１２２は、所定の条件に基づいて、記録部１１６に記録されたコンテンツを自動的に消去する。具体的には、自動消去指示部１２２は、コンテンツ管理部１２０で管理されているコンテンツの情報、及び、記録部１１６の記録容量の空き（空き容量）を取得する。そして、記録部１１６の空き容量が少なくなってきた場合に、自動消去指示部１２２は、コンテンツ管理部１２０で管理されているコンテンツの情報に基づいて、コンテンツを自動的に消去する際の優先度を記録部１１６に記録されているコンテンツに設定する。例えば、ユーザがよく視聴（再生）するジャンルのコンテンツには高い優先度を、ユーザがあまり視聴しないジャンルのコンテンツには低い優先度を設定して、優先度の低いコンテンツから消去されるような消去指示を記録／再生制御部１１８に出力する。また、ユーザの好みに適合する放送番組を自動的に記録する機能を記録再生装置１が備えている場合には、自動的に記録された放送番組のコンテンツに低い優先度を設定してもよい。また、時間的に古いコンテンツに低い優先度を設定してもよい。なお、自動消去指示部１２２は、記録部１１６から自動的に消去されたコンテンツ（即ち、記録／再生制御部１１８に消去を指示したコンテンツ）の情報を消去情報保存部１２４に送信する。
【００２２】
消去情報保存部１２４は、自動消去指示部１２２によって記録部１１６から消去されたコンテンツ（第１のコンテンツ）の情報を保存する。また、消去情報保存部１２４は、ユーザの指示によって記録部１１６から消去されたコンテンツ（第２のコンテンツ）の情報を保存することも可能であり、自動消去指示部１２２によって記録部１１６から消去されたコンテンツと識別可能に保存する。例えば、消去情報保存部１２４は、自動消去指示部１２２によって記録部１１６から消去されたコンテンツの情報にはフラグを付加して保存することで、ユーザの指示によって記録部１１６から消去されたコンテンツの情報と識別可能にする。また、消去情報保存部１２４は、ユーザＩ／Ｆ１３０において記録部１１６から自動的に消去されたコンテンツに対応する放送番組を記録する記録指示又はかかる放送番組の記録を予約する予約指示を受け付けると、かかるコンテンツの情報を消去する。なお、消去情報保存部１２４における記録部１１６から消去されたコンテンツの情報の保存期間に関しては、ユーザが任意の期間に設定できるようにしてもよいし、固定の期間を予め設定してもよいし、ジャンルに応じて期間を変更してもよい。なお、ユーザＩ／Ｆ１３０において記録部１１６から自動的に消去されたコンテンツを確認する要求を受け付けると、消去情報保存部１２４は、放送番組検索部１２６を介して、記録部１１６から自動的に消去されたコンテンツの情報を表示出力部１２８に出力する。
【００２３】
放送番組検索部１２６は、消去情報保存部１２４に保存されたコンテンツの情報に基づいて、番組情報取得部１１４で取得された番組情報の中から、自動消去指示部１２２によって記録部１１６から消去されたコンテンツの情報を検索する。また、放送番組検索部１２６は、検索の結果を表示出力部１２８に出力する。
【００２４】
表示出力部１２８は、電子番組表、記録部１１６に記録されたコンテンツの一覧、記録部１１６から自動的に消去されたコンテンツの一覧、記録部１１６に記録されたコンテンツなどを出力する。表示出力部１２８は、放送番組検索部１２６による検索の結果、番組情報取得部１１４で取得された番組情報の中から記録部１１６から自動的に消去されたコンテンツの情報が見つかった場合に、かかるコンテンツに対応する放送番組の放送予定がある旨を通知する。なお、本実施形態では、表示出力部１２８は、記録部１１６に記録されたコンテンツや記録部１１６から自動的に消去されたコンテンツに対応する放送番組の放送予定がある旨を示す表示データを外部の表示装置に出力する。但し、表示出力部１２８が表示機能を備えている場合には、例えば、記録部１１６から自動的に消去されたコンテンツに対応する放送番組の放送予定がある旨を示す表示データを自身で表示してもよい。
【００２５】
ユーザＩ／Ｆ１３０は、ユーザからの指示（上述した記録指示、予約指示、消去指示、記録部１１６に記録されているコンテンツを確認する要求及び記録部１１６から自動的に消去されたコンテンツを確認する要求など）を受け付ける受付部として機能する。
【００２６】
以下、記録再生装置１の動作、詳細には、記録部１１６から自動的に消去されたコンテンツに対応する放送番組の放送予定がある旨を通知する動作について説明する。また、説明を簡単にするために、ここでは、記録部１１６から自動的に消去されるコンテンツは１つであるものとする。但し、記録部１１６から自動的に消去されるコンテンツが複数である場合には、かかる複数のコンテンツのそれぞれについて、以下の動作を実行すればよい。
＜第１の実施形態＞
図２を参照して、第１の実施形態における記録再生装置１の動作を説明する。
【００２７】
Ｓ２０２において、自動消去指示部１２２は、記録部１１６に記録されたコンテンツを自動的に消去する消去条件が満たされているかどうかを確認する。具体的には、自動消去指示部１２２は、記録部１１６の空き容量を取得し、かかる空き容量が規定値未満であるかどうかを確認する。消去条件が満たされていない（即ち、記録部１１６の空き容量が規定値以上である）場合には、自動消去指示部１２２は、所定の時間間隔で、消去条件が満たされているかどうかを確認する（即ち、Ｓ２０２を繰り返す）。消去条件が満たされている（即ち、記録部１１６の空き容量が規定値未満である）場合には、Ｓ２０４に移行する。
【００２８】
Ｓ２０４において、自動消去指示部１２２は、記録／再生制御部１１８を介して、記録部１１６に記録されているコンテンツに設定した優先度に基づいて、記録部１１６からコンテンツを自動的に消去する。例えば、自動消去指示部１２２は、ユーザがあまり視聴しないジャンルのコンテンツであって、時間的に古いコンテンツを記録部１１６から消去する。
【００２９】
Ｓ２０６において、消去情報保存部１２４は、Ｓ２０４で記録部１１６から消去されたコンテンツ（即ち、自動消去指示部１２２が記録部１１６から自動的に消去したコンテンツ）の情報を受信して、かかるコンテンツの情報を保存する。
【００３０】
Ｓ２０８において、番組情報取得部１１４は、放送予定の放送番組に関する番組情報を取得する。但し、番組情報取得部１１４は、消去情報保存部１２４が記録部１１６から自動的に消去されたコンテンツの情報を保存した後のタイミングでのみ番組情報を取得するのではなく、任意のタイミングで番組情報を取得している。
【００３１】
Ｓ２１０において、放送番組検索部１２６は、Ｓ２０８で取得された番組情報（即ち、番組情報取得部１１４が取得した番組情報）の中から、Ｓ２０４で消去されたコンテンツの情報を検索する。放送番組検索部１２６による検索の結果、Ｓ２０８で取得された番組情報の中から、Ｓ２０４で消去されたコンテンツの情報が見つからなかった場合には、Ｓ２０８に移行する。放送番組検索部１２６による検索の結果、Ｓ２０８で取得された番組情報の中から、Ｓ２０４で消去されたコンテンツの情報が見つかった場合には、Ｓ２１２に移行する。
【００３２】
Ｓ２１２において、表示出力部１２８は、Ｓ２０４で消去されたコンテンツに対応する放送番組の放送予定がある旨を通知する。具体的には、表示出力部１２８は、Ｓ２０４で消去されたコンテンツに対応する放送番組の放送予定がある旨を示す表示データを外部の表示装置に出力して、例えば、図３に示す表示画面を外部の表示装置に表示させる。これにより、ユーザは、自動消去指示部１２２によって記録部１１６から自動的に消去されたコンテンツに対応する放送番組の放送予定（再放送）があることを知ることができる。なお、図３に示す表示画面は、記録部１１６から自動的に消去されたコンテンツに対応する放送番組のタイトル、放送日、放送時間、チャンネル（Ｃｈ）を含む。また、図３に示す表示画面は、自動的に消去されたコンテンツに対応する放送番組の記録を予約する予約指示をユーザから受け付ける予約ボタンを含む。これにより、ユーザは、図３に示す表示画面において、予約ボタンを選択するだけで、記録部１１６から自動的に消去されたコンテンツに対応する放送番組の記録を予約することが可能となる。なお、図３に示す表示画面は一例であり、記録部１１６から自動的に消去されたコンテンツに対応する放送番組の放送予定があることをユーザに通知できるのであれば、これに限定するものではない。
【００３３】
Ｓ２１４において、記録／再生制御部１１８は、ユーザＩ／Ｆ１３０においてＳ２０４で消去されたコンテンツに対応する放送番組の記録を予約する予約指示を受け付けたかどうかを確認する。予約指示を受け付けた場合には、Ｓ２１６に移行する。予約指示を受け付けていない場合には、Ｓ２２０に移行する。
【００３４】
Ｓ２１６において、記録／再生制御部１１８は、Ｓ２０４で消去されたコンテンツに対応する放送番組がコンテンツとして記録されるように記録部１１６を制御する（即ち、自動的に消去されたコンテンツに対応する放送番組の記録を予約する）。
【００３５】
Ｓ２１８において、消去情報保存部１２４は、Ｓ２０６で保存した記録部１１６から自動的に消去されたコンテンツの情報（Ｓ２０４で記録部１１６から消去されたコンテンツの情報）を消去する。
【００３６】
Ｓ２２０において、放送番組検索部１２６は、Ｓ２０４で消去されたコンテンツに対応する放送番組が放送されたかどうかを確認する。具体的には、放送番組検索部１２６は、番組情報取得部１１４が一定時間後に取得した番組情報の中から、Ｓ２０４で消去されたコンテンツの情報を検索する。そして、一定時間後に取得した番組情報の中から、Ｓ２０４で消去されたコンテンツの情報が見つかった場合には、かかるコンテンツに対応する放送番組が放送されていないと判断して、Ｓ２１２に移行する。従って、表示出力部１２８は、Ｓ２０４で消去されたコンテンツに対応する放送番組の放送が終了するまで、かかる放送番組の放送予定がある旨を示す表示データを繰り返し出力（即ち、繰り返し通知）する。また、一定時間後に取得した番組情報の中から、Ｓ２０４で消去されたコンテンツの情報が見つからなかった場合には、かかるコンテンツに対応する放送番組が放送されたと判断して、Ｓ２２２に移行する。
【００３７】
Ｓ２２２において、放送番組検索部１２６は、表示出力部１２８を介してＳ２０４で消去されたコンテンツに対応する放送番組の放送予定がある旨を示す表示データを規定回数出力（即ち、規定回数通知）したかどうかを確認する。規定回数出力していない場合には、番組情報を再び取得して、かかる番組情報の中からＳ２０４で消去されたコンテンツの情報を検索するために、Ｓ２０８に移行する。規定回数出力している場合には、ユーザはＳ２０４で消去されたコンテンツに対応する放送番組を記録する意思がないと判断して、Ｓ２０６で保存した記録部１１６から自動的に消去されたコンテンツの情報を消去するために、Ｓ２１６に移行する。なお、規定回数に関しては、ユーザが任意の回数に設定できるようにしてもよいし、固定の回数を予め設定していてもよい。
【００３８】
第１の実施形態によれば、記録部１１６に記録されたコンテンツが自動的に消去されたとしても、ユーザに特別な負荷を与えることなく、かかるコンテンツに対応する放送番組の放送予定がある旨を通知することができる。これにより、ユーザは、例えば、消去したくなかった放送番組、或いは、視聴する予定だった放送番組が自動的に消去されたとしても、かかる放送番組を再び記録できる機会を容易に知ることが可能となる。このように、記録再生装置１は、記録されたコンテンツを自動的に消去する機能を有していても、ユーザの利便性の低下を抑制することができる。
【００３９】
なお、図３に示す表示画面は、自動的に消去されたコンテンツに対応する放送番組の記録を予約する予約指示をユーザから受け付ける予約ボタンを含んでいる。但し、自動的に消去されたコンテンツに対応する放送番組の放送予定がある旨を示す表示データだけを表示してもよい。
【００４０】
また、自動的に消去されたコンテンツに対応する放送番組の放送予定がある旨を通知するタイミングは、番組情報を検索したタイミングに限定されるものではない。例えば、ユーザが番組情報を確認する要求をしたタイミングや外部の表示装置を起動するタイミングで、自動的に消去されたコンテンツに対応する放送番組の放送予定がある旨を通知してもよい。
＜第２の実施形態＞
図４を参照して、第２の実施形態における記録再生装置１の動作を説明する。Ｓ４０２乃至Ｓ４１２は、第１の実施形態で説明したＳ２０２乃至Ｓ２１２と同じであるため、ここでの詳細な説明は省略する。但し、Ｓ４１２では、Ｓ４０４で消去されたコンテンツに対応する放送番組の放送予定がある旨のみを通知する。従って、外部の表示装置に表示される表示画面は、自動的に消去されたコンテンツに対応する放送番組の記録を予約する予約指示をユーザから受け付ける予約ボタンを含まない。
【００４１】
Ｓ４１４において、記録／再生制御部１１８は、記録部１１６の記録容量の空きが規定値以上であるかどうか、即ち、Ｓ４０４で消去されたコンテンツに対応する放送番組を記録することが可能であるかどうかを判断する。記録部１１６の記録容量の空きが規定値以上である場合には、Ｓ４１６に移行する。また、記録部１１６の記録容量の空きが規定値未満である場合には、Ｓ４２０に移行する。
【００４２】
Ｓ４１６において、記録／再生制御部１１８は、Ｓ４０４で消去されたコンテンツに対応する放送番組がコンテンツとして記録されるように記録部１１６を制御する（即ち、自動的に消去されたコンテンツに対応する放送番組の記録を予約する）。
【００４３】
Ｓ４１８は、第１の実施形態で説明したＳ２１８と同じであるため、ここでの詳細な説明は省略する。
【００４４】
Ｓ４２０において、記録／再生制御部１１８は、ユーザＩ／Ｆ１３０においてＳ４０４で消去されたコンテンツに対応する放送番組の記録を予約する予約指示を受け付けたかどうかを確認する。なお、上述したように、Ｓ４１２では、Ｓ４０４で消去されたコンテンツに対応する放送番組の放送予定がある旨のみを通知している。従って、Ｓ４０４で消去されたコンテンツに対応する放送番組の記録を予約する場合には、ユーザは、図３に示した表示画面に含まれる予約指示を選択するのではなく、通常の予約指示（放送日、放送時間、チャンネルなどの入力）を行う必要がある。
【００４５】
Ｓ４２０で予約指示を受け付けた場合には、Ｓ４１６に移行する。この際、ユーザに対して、記録部１１６の記録容量の空きが規定値以上となるように、記録部１１６に記録されているコンテンツを消去するように通知する。また、Ｓ４２０で予約指示を受け付けていない場合には、Ｓ４２２に移行する。
【００４６】
Ｓ４２２及びＳ４２４は、第１の実施形態で説明したＳ２２０乃至Ｓ２２２と同じであるため、ここでの詳細な説明は省略する。
【００４７】
第２の実施形態によれば、記録部１１６に記録されたコンテンツが自動的に消去されたとしても、記録部１１６の記録容量の空きが規定値以上である場合には、かかるコンテンツに対応する放送番組を自動的に記録することができる。また、記録部１１６の記録容量の空きが規定値未満である場合には、自動的に消去されたコンテンツに対応する放送番組の放送予定がある旨を通知して、かかる放送番組を記録するようにユーザに促すことができる。このように、記録再生装置１は、記録されたコンテンツを自動的に消去する機能を有していても、ユーザの利便性の低下を抑制することができる。
【００４８】
なお、Ｓ４１４からＳ４２０に移行する際には、ユーザに対して、記録部１１６の記録容量の空きが規定値未満であるため、Ｓ４０４で消去されたコンテンツに対応する放送番組を自動的に記録できない旨を通知してもよい。また、Ｓ４０４で消去されたコンテンツに対応する放送番組を自動的に記録できない旨は、記録再生装置１自身で表示してもよいし、外部の表示装置に表示させてもよい。
＜第３の実施形態＞
図５を参照して、第３の実施形態における記録再生装置１の動作を説明する。Ｓ５０２乃至Ｓ５１２は、第１の実施形態で説明したＳ２０２乃至Ｓ２１２と同じであり、Ｓ５１４は、第２の実施形態で説明したＳ４１４と同じであるため、ここでの詳細な説明は省略する。なお、Ｓ５１４において、記録部１１６の記録容量の空きが規定値以上である場合にはＳ５１６に移行し、記録部１１６の記録容量の空きが規定値未満である場合にはＳ５２６に移行する。
【００４９】
Ｓ５１６において、記録／再生制御部１１８は、Ｓ５０４で消去されたコンテンツに対応する放送番組の放送時間に別の放送番組を記録する予約があるかどうかを判定する。具体的には、記録／再生制御部１１８は、放送番組検索部１２６及び番組情報取得部１１４からＳ５０４で消去されたコンテンツに対応する放送番組の放送時間を取得して、かかる放送時間に別の放送番組を記録するように記録部１１６を制御しているかを判定する。別の放送番組を記録する予約がない場合には、Ｓ５１８に移行する。別の放送番組を記録する予定がある場合には、Ｓ５２０に移行する。
【００５０】
Ｓ５１８において、記録／再生制御部１１８は、Ｓ５０４で消去されたコンテンツに対応する放送番組がコンテンツとして記録されるように記録部１１６を制御する（即ち、自動的に消去されたコンテンツに対応する放送番組の記録を予約する）。
【００５１】
Ｓ５２０において、表示出力部１２８は、Ｓ５０４で消去されたコンテンツに対応する放送番組の放送時間に別の放送番組を記録する予約がある旨を示す表示データを出力する。これにより、ユーザは、自動消去指示部１２２によって記録部１１６から自動的に消去されたコンテンツに対応する放送番組の放送時間に別の放送番組を記録する予約があることを知ることができる。
【００５２】
Ｓ５２２において、記録／再生制御部１１８は、ユーザＩ／Ｆ１３０においてＳ５０４で消去されたコンテンツに対応する放送番組の記録を予約する予約指示を受け付けたかどうかを確認する。換言すれば、Ｓ５２２では、自動消去指示部１２２によって記録部１１６から自動的に消去されたコンテンツに対応する放送番組の記録を優先するか、別の放送番組の記録を優先するかをユーザに問い合わせる。
【００５３】
Ｓ５２２で予約指示を受け付けた（即ち、自動消去指示部１２２によって記録部１１６から自動的に消去されたコンテンツに対応する放送番組の記録を優先する）場合には、Ｓ５１８に移行する。そして、記録／再生制御部１１８は、Ｓ５０４で消去されたコンテンツに対応する放送番組がコンテンツとして記録されるように記録部１１６を制御する。この際、記録／再生制御部１１８は、別の放送番組を記録する予約を取り消す。
【００５４】
Ｓ５２２で予約指示を受け付けていない（即ち、別の放送番組の記録を優先する）場合には、Ｓ５０８に移行する。そして、Ｓ５１２で出力した放送番組の放送時間よりも後に放送予定がないか判別する。
【００５５】
Ｓ５２４は、第１の実施形態で説明したＳ２１８と同じであるため、ここでの詳細な説明は省略する。また、Ｓ５２６乃至Ｓ５３０は、第２の実施形態で説明したＳ４２０乃至Ｓ４２４と同じであるため、ここでの詳細な説明は省略する。
【００５６】
第３の実施形態によれば、記録部１１６に記録されたコンテンツが自動的に消去されたとしても、記録部１１６の記録容量の空きが規定値以上である場合には、かかるコンテンツに対応する放送番組を自動的に記録することができる。この際、自動的に消去されたコンテンツに対応する放送番組の放送時間に別の放送番組を記録する予約がある場合には、どちらの放送番組の記録を優先するかを判定するため、ユーザの優先する放送番組を確実に記録することができる。このように、記録再生装置１は、記録されたコンテンツを自動的に消去する機能を有していても、ユーザの利便性の低下を抑制することができる。
【００５７】
以上、本発明の好ましい実施形態について説明したが、本発明はこれらの実施形態に限定されないことはいうまでもなく、その要旨の範囲内で種々の変形及び変更が可能である。
【図１】
2010245646.tif 000003
【図２】
2010245646.tif 000004
【図３】
2010245646.tif 000005
【図４】
2010245646.tif 000006
【図５】
2010245646.tif 000007